(57)【特許請求の範囲】
【請求項１】
枠１に軸２を設け前記軸２の回りに回転子３を配置し、前記枠１の先端にベルト支持片５を設けて、回転子３とベルト支持片５に回転ベルト印４を懸架させ、前記ベルト支持片５により張設して回転印部２６とし、該回転印部２６を覆う外装体９の下端には、下面に固定印部１７を有し、回転ベルト印４が露呈する窓２４を中央に設けた固定印受２０をボルト２２とナット２３で支持し、更に、前記固定印受２０を前記外装体９に沿って上下摺動自在にし、前記枠１の上部よりねじ６を立設させ、該ねじ６上方部には握り部を設け、更に、前記回転印部２６の高さ調節機構を有する回転印において、ねじ６の上方部には、握り固定部１１をねじ嵌合しており、更に、下方部に調節部２９を有し外装体９を支持している調節用ナット７をねじ嵌合し、前記握り固定部１１を覆うように握り作動部１３を設け、前記握り固定部１１の外周面には、相対する一対の突起１２を設け、前記突起１２と凹凸嵌合するように握り作動部１３内壁面には係止突起１４を設け、握り作動部１３の上下動を誘導するために前記握り固定部１１の外周面、もしくは、握り作動部１３内壁面の少なくとも一方に前記突起１２もしくは係止突起１４を内部に有する前記誘導溝１５を設け、前記握り作動部１３を上下に摺動移動させることによって、前記握り作動部１３の下方開口端に設けられた作用部２８と調節用ナット７の調節部２９が当接していない時、調節用ナット７は回転せず回転印部２６の上下動を生じさせることはなく、又握り作動部１３を上方に引き上げることにより前記作用部２８と前記調節部２９が当接している時は、握り作動部１３を回転させると調節用ナット７が回転してねじ６が上下し、前記回転印部２６を上下動可能にした機構を特徴とする回転印。
【請求項２】
前記外装体９の上端面に表示指示板２５を被装し、握り作動部１３の下方開口端面と前記表示指示板２５の表面の両方に鋸歯状の凹凸を設けたことを特徴とする請求項１に記載した回転印。
【発明の詳細な説明】
【０００１】
【産業上の利用分野】
本発明は、回転ベルト印を有し、回転ベルト印の下方端から露呈する位置に固定印を有して、前記回転ベルト印と固定印が同一平面に捺印可能な高さ調節機構を有する回転印に関するものである
【０００２】
【従来の技術】
従来よりこの種の発明・考案は、単に回転印の下方端に固定印（マスター印）を設けたものがある。この種の出願は、実公昭５５−１３０６４号（以下、（イ））、実公昭６０−２１２３６号（以下、（ロ））、実公平３−２５９７４号（以下、（ハ））、実公昭２９−１１２０２号（以下、（ニ））がある。
（イ）は、回転印に着脱印部を設けたものであり、回転印の高さ調節機構は設けられていない。したがって、本願とは目的を異にしている。
（ロ）は、携帯に便利な固定印を設けた回転印であり、回転子２２を一部露呈しており、回転印本体６の上下位置を調整可能としている。しかし、（ロ）は、回転子２２が露呈し、更に回転防止部材や機構が設けられていないため、前記回転子に接触して回転子を回してしまうことがある。
【０００３】
（ハ）は、本願出願人と同じであり、考案自体はマスター印の構成部分であるが、該回転印は把手を螺子嵌合しており、把手のみで調節子を回転印本体に圧着して、調節子を回転不可能にしている。また、把手１２の螺子嵌合を緩めると調節子１３が回転可能になり、固定印（マスター印）と回転ベルト印の高さを調節出来るようになる。しかしこれは、いちいち把手を数回回転しなくてはならず煩雑であり、また調節子が自由になるため高さ調節用ナットを回しにくいといった問題点が生じる。
（二）は、（ハ）と同様な構成であり、把板１２により定位ナット１１を回転させて組み付けられた回転印を上下摺動させている。しかし、把手１３を少し回転させて螺合を弛めてから把板１２を回転させており、（ハ）と同様な問題点を呈する。
【０００４】
また、印面高さ調節という作業は、従来は、固定印からの回転ベルト印の露呈をなくす方向すなわち、下方に固定印を引いて、回転ベルト印を回転させ印字体を変化させる。そして、印面高さが合わない場合は、次に握り部を回転させ高さ調節板を回転可能にして、調節ナットに調節板の内径を当接させ、回転印を上下に摺動させていた。
したがってこうした、従来のものは、指等で回転を生じさせる部材が回転時にフリーに設けられているため回転力をナットに伝え難く、また握り部のねじ嵌合のみで回転を生じさせる部材が圧着されているので、ねじ嵌合力が緩み回転を生じさせる部材が回りやすくなってしまう。
【０００５】
【発明が解決しようとする課題】
以上のように従来から固定印を有する回転印は、握り部をねじ嵌合させ同時に調節板を押圧していたため、いちいち握り部を数回回転させて調節板を解除して、調節板を回転可能にして、回転ベルト印自体を上下に摺動させて印面の高さ合わせを行なっており煩雑であった。また、調節板に手やその他のものが接触すると容易に回転するといった問題点もある。
こうした調節板に手やその他のものが接触しても容易に回転せず、または、調節板を回転させるとき、固定印から回転ベルト印の露呈をなくす方向に前記固定印を引き離す動作と一連の動作の中で調節板に係る押圧力（圧着）を解除できる回転印を提供する。
【０００６】
【課題を解決するための手段】
枠１に軸２を設け前記軸２の回りに回転子３を配置し、前記枠１の先端にベルト支持片５を設けて、回転子３とベルト支持片５に回転ベルト印４を懸架させ、前記ベルト支持片５により張設して回転印部２６とし、該回転印部２６を覆う外装体９の下端には、下面に固定印部１７を有し、回転ベルト印４が露呈する窓２４を中央に設けた固定印受２０をボルト２２とナット２３で支持し、更に、前記固定印受２０を前記外装体９に沿って上下摺動自在にし、前記枠１の上部よりねじ６を立設させ、該ねじ６上方部には握り部を設け、更に、前記回転印部２６の高さ調節機構を有する回転印において、ねじ６の上方部には、握り固定部１１をねじ嵌合しており、更に、下方部に調節部２９を有し外装体９を支持している調節用ナット７をねじ嵌合し、前記握り固定部１１を覆うように握り作動部１３を設け、前記握り固定部１１の外周面には、相対する一対の突起１２を設け、前記突起１２と凹凸嵌合するように握り作動部１３内壁面には係止突起１４を設け、握り作動部１３の上下動を誘導するために前記握り固定部１１の外周面、もしくは、握り作動部１３内壁面の少なくとも一方に前記突起１２もしくは係止突起１４を内部に有する前記誘導溝１５を設け、前記握り作動部１３を上下に摺動移動させることによって、前記握り作動部１３の下方開口端に設けられた作用部２８と調節用ナット７の調節部２９が当接していない時、調節用ナット７は回転せず回転印部２６の上下動を生じさせることはなく、又握り作動部１３を上方に引き上げることにより前記作用部２８と前記調節部２９が当接している時は、握り作動部１３を回転させると調節用ナット７が回転してねじ６が上下し、前記回転印部２６を上下動可能にした機構を特徴とする回転印であり、また前記外装体９の上端面に表示指示板２５を被装し、握り作動部１３の下方開口端面と前記表示指示板２５の表面の両方に鋸歯状の凹凸を設けたことを特徴とする請求項１に記載した回転印である。
【０００７】
【作用】
第１の実施例は、握り固定部１１の外周面に相対する一対の突起１２を設けており、握り固定部１１の下方開口端に回転溝３０により回転自在に調節板１０を設けている。そして、常時は調節板１０の内径の作用部２８は下方に位置しており調節ナット７の調節部２９に当接していない。握り作動部１３は、握り固定部１１を覆うように設けられており、握り作動部１３の内面には、相対する一対の誘導溝１５と該誘導溝１５の内部に係止突起１４が設けられている。前記突起１２と前記係止突起１４は、常時は係止突起１４が突起１２を乗り越えて下方位置に位置して突起１２が係止突起１４を下方に押しやっている。すると、握り作動部１３の下方開口端に設けられた調節板１０を外装体９にむかって圧着しており、調節板１０の回転を不可能なものにしている。
【０００８】
回転印部２６の高さ調節を行う場合は、握り作動部１３を上方に引っ張りあげると、係止突起１４は突起１２を乗り越えて、上方位置に移動し、突起１２は係止突起１４の下方の誘導溝１５に位置することになる。すると、前記握り作動部１３の下方開口端に設けた調節板１０と外装体９の圧着が解かれて、調節板１０が回転可能となり、調節板１０の作用部１０と調節用ナット７の調節部２９が当接して、回転させて回転印部２６の上下方向の摺動を行なえるようにした。そして、高さ調節が終われば握り作動部１３を下方位置にもどし調節板１０を外装体９に押圧する。同時に作用部２８と調節部２９との当接は解除される。
【０００９】
第２の実施形態は、握り固定部１１Ａの外周面には、相対する１対の誘導溝１５Ａを設けており、前記誘導溝１５Ａの内部に突起１２が設けられている。
固定ナット８はコ字状の枠１の上端面より立設したねじ６に螺旋嵌合しており、更に、前記握り固定部１１Ａの外周には握り固定部１１Ａを覆う様に握り作動部１３を覆い被せている。
更に、前記握り作動部１３Ａの下方開口端には作用部２８を設けており、調節用ナット７Ａに設けられた調節部２９と常時は当接していない。
【００１０】
常時は、係止突起１４は、突起１２の下方位置にあり、前記突起１２は係止突起１４を下方に押しやり、握り作動部１３の下方開口端は表示指示板２５に圧着されており、握り作動部１３Ａを回転不能に固定している。
この時、調節板１０Ａの内径部は調節用ナット７と当接しておらず、前記調節用ナット７を回転させて回転印部を上下に摺動することが出来ない。
誘導溝１５Ａは、突起１２より下方位置では軸線に対し平行の溝であり、突起１２より上方位置では握り固定部１１Ａの外周面に深さを前記下方位置の溝と同じ深さで周状に設けられている。
次に、回転印部を上下に摺動させて固定印１８と回転ベルト印４の印面高さを調節しようとすると、握り作動部１３Ａを上方に引き上げる。すると、係止突起１４は突起１２を乗り越えて、前記係止突起１４は誘導溝１５Ａの上方部へと移動する。
すると、握り作動部１３Ａが上方に引き上げられ、更に圧着から開放され、調節用ナット７Ａの調節部２９と握り作動部１３Ａの作用部２８と当接して、前記握り作動部１３Ａが回転可能となり、回転印部２６を上下方向に移動可能としている。
そして、調節が終われば握り作動部１３Ａを下方位置にもどし握り作動部１３Ａの下方開口端を表示指示板２５に押圧（圧着）する。
握り作動部１３Ａや表示指示板２５に探り部材があれば容易に軸線に対し平行な誘導溝１５Ａが判明できスムーズに前記握り作動部１３Ａを戻すことができることも本発明の考慮するところである。
【００１１】
【実施例】
本発明の第１の実施例を図１、図２、図３より詳細に説明する。
１は、コ字状の枠であり、中間位置に軸２を支持しており、数個の回転子３を回転自在に前記軸２により軸支している。更に、一つ一つの回転子３には、回転子３と同数の回転ベルト印４を懸架させ、ベルト支持片５により回転ベルト印４を張設している。枠１の上端にはねじ６を立設させており、下から調節用ナット７、更に間隔をもって固定ナット８を有し、前記固定ナット８の外周には握り固定部１１を配置している。
前記調節用ナット７には、外装体９が狭着保持されている。更に、調節板１０の内径の作用部２６が前記調節用ナット７の調節部２９に当接している。
また回転印部２６と称するものは、枠１、回転子３、回転ベルト印４、ベルト支持片５、ねじ６、軸２からなっている。
【００１２】
１１は、前記したように筒状の握り固定部であり、固定ナット８によりねじ６に螺旋嵌合されている。握り固定部１１の外周面には相対する一対の突起１２を有し、握り作動部１３の内面に、前記突起１２と乗り越え嵌合する係止突起１４と前記係止突起１４を内部に有する一対の誘導溝１５を軸線に沿って設けている。ここで、誘導溝１５は突起１２を誘導し、握り作動部１３を引き上げたとき突起１２は誘導溝１５の下方壁面１６によって止まり、抜け出ることはない。
１３は、前記したように握り作動部１３であり、前記握り作動部１３の下方開口端に回転溝３０を設けて調節板１０を回転自在に支持しながら設けている。
常時は、調節板１０を外装体９に圧着しており前記調節板１０を回転不可能にしている。
【００１３】
更に又、調節板１０の表面（外装体９と圧着する面）と外装体９に鋸歯状の凹凸を設けて押圧力により調節板１０の回転止めを兼ね合わせたり、握り作動部１３の下方開口端面と調節板１０が当接する面にそれぞれ鋸歯状の凹凸を設けても本発明の意図するところである。
前記した誘導溝１５は、本実施例では握り作動部１３の内面に設けているが、握り固定部１１の外周面に突起１２を内部に有しながら設けても本発明の意図するところである。
【００１４】
１７は、固定印部であり、固定印受２０と固定印１８からなり、前記固定印受２０の下面に固定印１８を貼りつけており、外装体９の下方端に固定印受２０を、前記外装体９に設けた長孔２１にボルト２２を貫通させナット２３で取り付けている。前記ナット２３を緩めて固定印受２０を上下に摺動可能としている。
前記固定印１８は、本実施例では貼りつけているが、受金等で保持してもよく、その方法は問はない。
前記固定印受２０には中央に窓２４を設けており、該窓２４から回転ベルト印４を露呈している。
【００１５】
使用方法を詳細に説明する。
まず、常時は握り固定部１１の突起１２の下方位置で前記突起１２と下向きに押圧当接して係止突起１４が位置している。そして、前記係止突起１４を内面に設けている握り作動部１３の下方開口端に設けた調節板１０を外装体９に圧着している。
固定印受２０を貫通しているボルト２２は長孔２１の上方位置に位置しているとき、回転ベルト印４は完全に窓２４から露呈されている。
該状態から固定印部１７を下方にずらし、回転ベルト印４が回転可能になるようにする。それから、回転子３を回転させ回転ベルト印４を変える。その後、固定印部１７を元の位置に戻してみると、固定印１８と回転ベルト印４の高さがあっていない状態になった。この時、握り固定部１１を上方に引き上げると、係止突起１４は突起１２を乗り越え突起１２より上方に位置し、突起１２は誘導溝１５に入ると同時に、調節板１０の押圧力（圧着力）が解かれ調節板１０が回転可能になる。
同時に調節板１０の作用部２８と調節用ナット７の調節部２９が当接するので、調節板１０を回転させると調節用ナット７が回転し回転印部２６を上下動させ固定印１８と回転ベルト印４の印面高さを調節する。
【００１６】
前記調節板１０を回転させると、調節用ナット７が回転して枠１に設けられたねじ６が上下する。この時固定ナット８をねじ６が上下するだけであるので、固定ナット８と調節用ナット７の距離は変わらない。したがって、握り作動部１３は調節板１０を押圧力を変えることなく圧着することができ、調節板１０を回転不能にする。
そして、固定印１８と回転ベルト印４の高さ調節を行なった後には、上記とは逆の作動により元に戻す。
以上のような構成であるので、握り作動部１１をいちいち数回回す必要もなく容易に高さ調節が可能である。
【００１７】
第２の実施例を図５より詳細に説明する。
握り固定部１１Ａの外周面には相対する一対の誘導溝１５Ａと該内部にそれぞれ突起１２を設けている。また握り作動部１３Ａには係止突起１４が設けられており、常時は突起１２より係止突起１４が下方位置に位置して、握り作動部１３Ａの下方開口端を表示指示板２５の表面に押圧（圧着）している。
前記誘導溝１５Ａは、係止突起１４を上下可動に誘導している。更に誘導溝１５Ａは、突起１２より上方部では握り固定部１１Ａの外周面において、前記誘導溝１５Ａの深さで周状に設けられており、握り作動部１３Ａが上方に引き上げられ、係止突起１４が突起１２より上方位置になれば前記握り作動部１３Ａが回転可能になる。
常時は、作用部２８と調節部２９とは当接していない。したがって、握り作動部１３Ａも調節用ナット７Ａも回転しない。
２５は、表示指示板であり外装体９に固定され、固定印と回転ベルト印４の天地を明らかにしている。
前記した誘導溝１５Ａは、本実施例では握り固定部１１Ａに設けているが前記第１の実施例の様に握り作動部１３Ａの内面に設けてもよい。
このような、構成であるので握り作動部１３Ａを上方に引かない限り調節用ナット７を回転させ回転印部２６を上下に移動させることが出来きない。
【００１８】
使用方法について詳細に説明する。
常時は、係止突起１４が突起１２の下方位置に位置しており、握り作動部１３Ａの下方開口端が表示指示板２５を圧着して握り作動部１３Ａが容易に回転しないようにしている。
高さ調節機構を使用する際には、握り作動部１３Ａを上方に引き上げると、係止突起１４は突起１２を乗り越えて誘導溝１５Ａの下方位置から上方位置に位置し、前記握り作動部１３Ａの下方開口端と表示指示板２５の圧着を解除して前記握り作動部１３Ａの回転を可能としている。握り作動部１３Ａを上方に引き上げると更に、調節用ナット７Ａの調節部２９と作用部２８が当接して、前記握り作動部１３Ａを回転させると、該回転力を調節用ナット７Ａに伝達し回転印部を上下に可動させることが出来る。
またこの時、調節部２９と作用部２８の当接する面には鋸歯状の凹凸を設けると更に、回転力を調節用ナット７Ａに伝えることも出来る。
また、握り作動部１３Ａの下方開口端面と表示指示板２５の表面の両方に鋸歯状の凹凸を設けて握り作動部１３Ａの押圧（圧着）時の固定を確実なものとすることも可能である。
【００１９】
【効果】
以上の様な構成であるので、第１、第２の実施例は、調節板１０と外装体９、及び、握り作動部１３Ａと表示指示部２５の圧着力の係脱をスムーズに行なえる。また、回転印部２６と固定印１８の印面高さを調節しようとすると調節板１０と握り作動部１３の回転力を確実に調節用ナット７、７Ａに伝えて、前記調節用ナット７、７Ａを回転させることが出来き、簡単に印面高さ調節を行なえることが出来る。
また常時は、調節部２９と作用部２８が当接していないので万が一、調節板１０もしくは握り作動部１３Ａが指等で接触しても容易に回転せず、回転印部２６の高さは変わることはない。
更に、調節板や握り作動部を回転させるとき、固定印から回転ベルト印の露呈をなくす方向に前記固定印を引き離す動作と一連の動作のなかで調節板に係る押圧力を解除できる。
【００２０】
【図面の簡単な説明】
【図１】本発明の第１の実施例の正面断面図
【図２】本発明の第１の実施例の右側面断面図
【図３】本発明の第１の実施例の一部部品斜視図
【図４】本発明の第１の実施例の作動状態説明図
【図５】本発明の第２の実施例の一部断面図
【符号の説明】
１  ：枠
２  ：軸
３  ：回転子
４  ：回転ベルト印
５  ：ベルト支持片
６  ：ねじ
７  ：調節用ナット
８  ：固定ナット
９  ：外装体
１０  ：調節板
１１  ：握り固定部
１２  ：突起
１３  ：握り作動部
１４  ：係止突起
１５  ：誘導溝
１６  ：下方壁面
１７  ：固定印部
１８  ：固定印
２０  ：固定印受
２１  ：長孔
２２  ：ボルト
２３  ：ナット
２４  ：窓
２５  ：表示指示板
２６  ：回転印部
２８  ：作用部
２９  ：調節部
３０  ：回転溝
【図１】
0003816206.tif 000002
【図２】
0003816206.tif 000003
【図３】
0003816206.tif 000004
【図４】
0003816206.tif 000005
【図５】
0003816206.tif 000006